(57)【要約】      （修正有）【課題】多めの六角レンチを収納することができるとともに、前列全ての六角レンチが整然と配列され、抜き取りも容易な六角レンチ収納展示ベースを提供する。【解決手段】六角レンチ収納展示ベースは、ベース本体１０を備える。ベース本体は、上端面１１、下端面１２、前側面１３、後側面、右側面１５及び左側面を有する。上端面の後側面に近接した箇所には、複数の下列挿設孔１７が形成される。下端面の前側面に近接した箇所には、複数の上列挿設孔１９が形成される。下列挿設孔１７と上列挿設孔１９との間には、ピッチがそれぞれ設けられ、互いに隣接した挿設孔間にも大き目のピッチが設けられている。全ての六角レンチは互いに干渉することがない上、手前の六角レンチを僅かに回すだけでその後ろの六角レンチを直接引っ張り出すことが可能である。【選択図】図１
0003191018.tif 000002
【実用新案登録請求の範囲】
【請求項１】
ベース本体を備えた六角レンチ収納展示ベースであって、
前記ベース本体は、上端面、下端面、前側面、後側面、右側面及び左側面を有し、前記上端面の前記後側面に近接した箇所には、複数の下列挿設孔が形成され、前記下端面の前記前側面に近接した箇所には、複数の上列挿設孔が形成され、
前記下列挿設孔と前記上列挿設孔との間には、ピッチがそれぞれ設けられ、互いに隣接した前記挿設孔間にも大き目のピッチが設けられており、全ての六角レンチは互いに干渉しない上、手前の六角レンチを僅かに回すだけでその後ろの六角レンチを直接引っ張り出すことが可能であることを特徴とする六角レンチ収納展示ベース。
【請求項２】
前記ベース本体の前記前側面の中段上位には、凹槽が形成され、
前記凹槽は、左右両辺へ向かって延びて前記右側面及び前記左側面に連通するか又は非連通するとともに、槽深面、槽頂面及び槽底面を有し、前記下端面の前記前側面に近接した箇所には、前記凹槽と連通した前記上列挿設孔が複数形成され、規格がそれぞれ異なる後列六角レンチは、前記上端面に形成された複数の挿設孔を介して前記ベース本体にそれぞれ挿通され、規格がそれぞれ異なる前列六角レンチは、前記下端面に形成された複数の挿設孔を介して前記ベース本体にそれぞれ挿通され、前記凹槽の前記槽底面から突出されて前記槽頂面に当接されており、前記前列六角レンチ全てが整然と配列され、前記前列六角レンチの前端が前記凹槽からそれぞれ露出することを特徴とする請求項１に記載の六角レンチ収納展示ベース。
【請求項３】
前記ベース本体の前記左側面には、リングが取り付けられ、
前記リングは、前記ベース本体に密着されるか、又は回転して展示フレーム又は収納フレームに掛止されるかして、作業用ベルトフックが掛止されることを特徴とする請求項１に記載の六角レンチ収納展示ベース。
【請求項４】
前記ベース本体は、前記上端面から下方へ向かって形成されるか、又は前記下端面から上方へ向かって形成された複数の中空部を有し、
前記中空部により構造強度を高め、重量を減らしてプラスチック材料の使用量を減らすことを特徴とする請求項１に記載の六角レンチ収納展示ベース。
【考案の詳細な説明】
【技術分野】
【０００１】
本考案は、収納ベースの技術分野に関し、特に、多めの六角レンチを収納し、凹槽及び槽頂面を介して挿入された六角レンチの前端部分を展示し、前列六角レンチのそれぞれが槽頂面に当接されて全体が整列される六角レンチ収納展示ベースに関する。
【背景技術】
【０００２】
従来のＬ字状六角レンチは、各規格毎に１本づつ製作され、１セットのＬ字状六角レンチには７本以上含まれることが一般的である。これら複数の六角レンチを使用しない場合、放置位置を有するか、或いは適当に一定時間放置した後に、散らばって揃わなくなる虞があり、所望の規格の六角レンチが見つからないとき、分散した六角レンチから所望のレンチを探したり、長めの時間をかけて所望のレンチか否かを試して探す必要があった。そのため、業者は従来の六角レンチ収納ベースに、六角レンチの全てを設置する必要があった。
【０００３】
従来の六角レンチ収納ベースには、六角レンチ全てを挿通するための穿孔が多めに形成されているが、六角レンチを挿入させる深度が一定でないため、バラツキの問題が容易に発生して見た目が好ましくなくなり、六角レンチの前端がそれぞれ異なり、その前端が穿孔に挿入されるとその内側に隠されるため、購買者は、外側を見ても六角レンチの前端が如何なるものかを知ることはできなかった。そのため、従来の六角レンチ収納ベースには依然として改善の余地があった。
【０００４】
また、従来の六角レンチ収納ベースは、形成された孔により、各六角レンチが互いに密着されている。そのため、そのうちの１本の六角レンチを抜き取るには、配列されているレンチの全てを回転させる必要があった。即ち、六角レンチが互いに干渉しているため、使用が不便であった。
【考案の概要】
【考案が解決しようとする課題】
【０００５】
本考案は、多めの六角レンチを収納することができるとともに、凹槽及び槽頂面を介して挿入した六角レンチの前端部分を展示し、前列全ての六角レンチが槽頂面に当接されて整然と配列される六角レンチ収納展示ベースを提供することを課題とする。
【課題を解決するための手段】
【０００６】
上記課題を解決するために、本考案の第１の形態によれば、ベース本体を備えた六角レンチ収納展示ベースであって、前記ベース本体は、上端面、下端面、前側面、後側面、右側面及び左側面を有し、前記上端面の前記後側面に近接した箇所には、複数の下列挿設孔が形成され、前記下端面の前記前側面に近接した箇所には、複数の上列挿設孔が形成され、前記下列挿設孔と前記上列挿設孔との間には、ピッチがそれぞれ設けられ、互いに隣接した前記挿設孔間にも大き目のピッチが設けられているため、全ての六角レンチ間が互いに干渉されない上、手前の六角レンチを僅かに回すだけでその後ろの六角レンチを直接引っ張り出すことが可能であることを特徴とする六角レンチ収納展示ベースが提供される。
【０００７】
前記ベース本体の前記前側面の中段上位には、凹槽が形成され、前記凹槽は、左右両辺へ向かって延びて前記右側面及び前記左側面に連通するか非連通するとともに、槽深面、槽頂面及び槽底面を有し、前記下端面の前記前側面に近接した箇所には、前記凹槽と連通した前記上列挿設孔が複数形成され、規格がそれぞれ異なる後列六角レンチは、前記上端面に形成された複数の挿設孔を介して前記ベース本体にそれぞれ挿通され、規格がそれぞれ異なる前列六角レンチは、前記下端面に形成された複数の挿設孔を介して前記ベース本体にそれぞれ挿通され、前記凹槽の前記槽底面から突出されて前記槽頂面に当接されるため、前記前列六角レンチ全てが整然と配列され、前記前列六角レンチの前端が前記凹槽からそれぞれ露出されることが好ましい。
【０００８】
前記ベース本体の前記左側面には、リングが取り付けられ、前記リングは、前記ベース本体に密着されるか、回転して展示フレーム又は収納フレームに掛止されるか、作業用ベルトフックが掛止されることが好ましい。
【０００９】
前記ベース本体は、前記上端面から下方へ向かって形成されるか、前記下端面から上方へ向かって形成された複数の中空部を有し、前記中空部により構造強度を高めながら、重量を減らしてプラスチック材料の使用量を減らすことが好ましい。
【考案の効果】
【００１０】
本考案の六角レンチ収納展示ベースは、多めの六角レンチを収納することができるとともに、凹槽及び槽頂面を介して挿入された六角レンチの前端部分が展示され、前列全ての六角レンチが槽頂面に当接されて整然と配列される。
【図面の簡単な説明】
【００１１】
【図１】図１は、本考案の一実施形態に係る六角レンチ収納展示ベースを示す斜視図である。
【図２】図２は、本考案の一実施形態に係る六角レンチ収納展示ベースを示す正面図である。
【図３】図３は、本考案の一実施形態に係る六角レンチ収納展示ベースを示す右側面図である。
【図４】図４は、本考案の一実施形態に係る六角レンチ収納展示ベースを示す左側面図である。
【図５】図５は、本考案の一実施形態に係る六角レンチ収納展示ベースを示す底面図である。
【図６】図６は、本考案の一実施形態に係る六角レンチ収納展示ベースを示す平面図である。
【図７】図７は、本考案の一実施形態に係る六角レンチ収納展示ベースを用いて六角レンチを収納するときの状態を示す正面図である。
【図８】図８は、本考案の一実施形態に係る六角レンチ収納展示ベースを用いて六角レンチを収納するときの状態を示す右側面図である。
【図９】図９は、本考案の一実施形態に係る六角レンチ収納展示ベースを用いて六角レンチを収納するときの状態を示す左側面図である。
【図１０】図１０は、本考案の一実施形態に係る六角レンチ収納展示ベースを用いて六角レンチを収納するときの状態を示す正面斜視図である。
【図１１】図１１は、本考案の一実施形態に係る六角レンチ収納展示ベースを用いて六角レンチを収納するときの状態を示す背面斜視図である。
【図１２】図１２は、本考案の一実施形態に係る六角レンチを収納するときの状態を示す底面斜視図である。
【考案を実施するための形態】
【００１２】
以下、本考案の狭い空間で使用可能なレンチの実施形態について、図面を参照しながら説明する。
【００１３】
図１〜図１１を参照する。図１〜図１１に示すように、本考案の一実施形態に係る六角レンチ収納展示ベースは、少なくともベース本体１０から構成される。
【００１４】
ベース本体１０は、上端面１１、下端面１２、前側面１３、後側面１４、右側面１５及び左側面１６を有する。上端面１１の後側面１４に近接した箇所には、複数の挿設孔１７が形成されている。
【００１５】
前側面１３の中段上位には、凹槽１８が形成されている。凹槽１８は、左右両辺に向かって延びて右側面１５及び左側面１６に連通するか非連通するとともに、槽深面１８１、槽頂面１８２及び槽底面１８３を有する。下端面１２の前側面１３に近接した箇所には、凹槽１８と連通した上列挿設孔１９が複数形成され、規格がそれぞれ異なる後列六角レンチ２１は、上端面１１に形成された複数の挿設孔１７を介してベース本体１０にそれぞれ挿通され、規格がそれぞれ異なる前列六角レンチ２２は、下端面１２に形成された複数の挿設孔１９を介してベース本体１０に挿通され、凹槽１８の槽底面１８３から突出されて槽頂面１８２に当接されるため、前列六角レンチ２２全てが整然と配列され、前列六角レンチ２２の前端２２１が凹槽１８からそれぞれ露出されて一目で見渡せるため、消費者は適宜な前端２２１を選択して購入することができる。
【００１６】
本考案の一実施形態に係る六角レンチ収納展示ベースは、ベース本体１０の左側面１６にリング３０が取り付けられている。このリング３０は、ベース本体１０に密着されるか、回転して展示フレーム又は収納フレームに掛止されるか、作業用ベルトフック（図示せず）が掛止されてもよい。
【００１７】
本考案の一実施形態に係る六角レンチ収納展示ベースのベース本体１０は、上端面１１から下方へ向かって形成されるか、下端面１２から上方へ向かって形成された複数の中空部１１１，１２１を有し、複数の中空部１１１，１２１により構造強度を高めながら、重量を減らしてプラスチック材料の使用量を減らすことができる。
【００１８】
図１〜図８及び図１２を参照する。図１〜図８及び図１２に示すように、本考案の一実施形態に係る六角レンチ収納展示ベースは、少なくともベース本体１０から構成される。
【００１９】
ベース本体１０は、上端面１１、下端面１２、前側面１３、後側面１４、右側面１５及び左側面１６を有する。上端面１１の後側面１４に近接した箇所には、複数の下列挿設孔１７Ａが形成されている。下端面１２の前側面１３に近接した箇所には、複数の上列挿設孔１７Ｂが形成されている。複数の下列挿設孔１７Ａと複数の上列挿設孔１７Ｂとの間には、ピッチＢがそれぞれ設けられ（図８参照）、互いに隣接した挿設孔１７間にも大き目のピッチＡが設けられているため、全ての六角レンチ２１，２２間は互いに干渉しない上、手前の六角レンチ２１，２２を僅かに回すだけでその後ろの六角レンチ２１，２２を直接引っ張り出すことができる。
【００２０】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２１】
１０    ベース本体
１１    上端面
１２    下端面
１３    前側面
１４    後側面
１５    右側面
１６    左側面
１７    挿設孔
１７Ａ  下列挿設孔
１７Ｂ  上列挿設孔
１８    凹槽
１９    挿設孔
２１    後列六角レンチ
２２    前列六角レンチ
３０    リング
１１１  中空部
１２１  中空部
１８１  槽深面
１８２  槽頂面
１８３  槽底面
２２１  前端
Ａ      ピッチ
Ｂ      ピッチ
【図１】
0003191018.tif 000003
【図２】
0003191018.tif 000004
【図３】
0003191018.tif 000005
【図４】
0003191018.tif 000006
【図５】
0003191018.tif 000007
【図６】
0003191018.tif 000008
【図７】
0003191018.tif 000009
【図８】
0003191018.tif 000010
【図９】
0003191018.tif 000011
【図１０】
0003191018.tif 000012
【図１１】
0003191018.tif 000013
【図１２】
0003191018.tif 000014